(57)【要約】【課題】家庭や職場等に無線で接続された親機と子機からなる電話装置と携帯端末がある環境で、携帯端末と固定電話との両者の利点を共有できる電話装置を提供する。【解決手段】主装置と１台以上の子機から構成される電話装置において、通信機能を有する携帯端末を電気的に接続する少なくとも第一回線接続手段と、他回線を接続する第二回線接続手段と、前記子機と前記主装置とを無線で接続する通信制御手段と、前記第一回線接続手段に対応する電話番号情報を記録する第一記録手段と、前記第二回線接続手段に対応する電話番号情報を記録する第二記録手段と、発信電話番号により前記第一回線接続手段と前記第二回線接続手段とを切り替える回線選択手段と、を備えている。【選択図】図２
2006339814.tif 000002
【特許請求の範囲】
【請求項１】
主装置と１台以上の子機から構成される電話装置において、通信機能を有する携帯端末を電気的に接続する少なくとも第一回線接続手段と、他回線を接続する第二回線接続手段と、前記子機と前記主装置とを無線で接続する通信制御手段と、前記第一回線接続手段に対応する電話番号情報を記録する第一記録手段と、前記第二回線接続手段に対応する電話番号情報を記録する第二記録手段と、発信電話番号により前記第一回線接続手段と前記第二回線接続手段とを切り替える回線選択手段と、を備えることを特徴とする電話装置。
【請求項２】
請求項１に記載の電話装置において、前記携帯端末が前記第一回線接続手段に接続されたことを検出すると、該携帯端末が持つ電話番号情報を前記第一記録手段に記録する電話情報取得手段とを備えることを特徴とする電話装置。
【請求項３】
請求項２に記載の電話装置において、前記電話情報取得手段は、前記携帯端末と対応付けた前記子機にも携帯端末の電話番号情報を転送することを特徴とする電話装置。
【請求項４】
請求項１、２または３に記載の電話装置において、前記携帯端末が前記第一回線接続手段から切り離されたことを検出すると、前記第一記録手段に記録された電話番号情報を利用不可能にする電話番号情報管理手段とを備えることを特徴とする電話装置。
【請求項５】
請求項４に記載の電話装置において、前記電話番号情報管理手段は、携帯端末に対応する子機に記憶された電話番号情報も利用不可能にするようにしたことを特徴とする電話装置。
【請求項６】
請求項１乃至５のいずれかに記載の電話装置において、前記電話番号情報は電話帳の内容とすることを特徴とする電話装置。
【請求項７】
請求項１乃至５のいずれかに記載の電話装置において、前記電話番号情報は電話帳の内容、着信履歴、発信履歴であることを特徴とする電話装置。
【請求項８】
請求項１乃至７のいずれかに記載の電話装置において、前記携帯端末を通して発信した場合、該電話装置内の電話番号情報を更新してから携帯端末に転送して更新する電話番号情報更新手段を備えることを特徴とする電話装置。
【請求項９】
請求項１乃至８のいずれかに記載の電話装置において、前記回線選択手段は、前記第一記録手段から選択した電話番号を用いて発信する場合は、前記第一回線接続手段を選択し、前記第二記録手段から選択した電話番号を用いて発信する場合は前記第二回線接続手段を選択することを特徴とする電話装置。
【請求項１０】
請求項１乃至８のいずれかに記載の電話装置において、前記回線選択手段は、電話番号を入力して発信する場合、前記第一記録手段あるいは前記第二記録手段内に同じ電話番号があるかを確認し、同じ電話番号がある方の記録手段に対応した回線接続手段を選択することを特徴とする電話装置。
【請求項１１】
請求項１０に記載の電話装置において、前記回線選択手段は、電話番号を入力して発信する場合、前記第一記録手段あるいは前記第二記録手段内のいずれにも登録されていないときには、入力された電話番号の特徴を判断して、回線を選択することを特徴とする電話装置。
【請求項１２】
請求項１１に記載の電話装置において、前記回線選択手段は、入力された電話番号が携帯電話の場合は前記第一回線接続手段を選択し、有線系電話番号の場合には前記第二回線接続手段を選択することを特徴とする電話装置。
【請求項１３】
請求項１乃至８のいずれかに記載の電話装置において、前記回線選択手段は、指定された電話番号に予め関連付けられた回線選択情報により回線を選択することを特徴とする電話装置。
【請求項１４】
請求項１乃至１３のいずれかに記載の電話装置において、前記携帯端末からの着信に対して前記子機から応答する場合、当該電話装置内に予め記録されている暗証番号と予め子機に登録または子機から入力された暗証番号によって、該携帯端末に対応する子機であることを認証する認証手段を備えることを特徴とする電話装置。
【請求項１５】
請求項１乃至１４のいずれかに記載の電話装置において、前記携帯端末を充電する充電手段を備えることを特徴とする電話装置。
【請求項１６】
請求項１乃至１５のいずれかに記載の電話装置において、前記第一回線接続手段あるいは前記第二回線接続手段からの着信であるかを判定する着信先判定手段と、呼び出し音を発生する呼び出し音発生手段とを備え、前記呼び出し音発生手段は、前記着信先判定手段で判定された着信先に応じて着信音を鳴り分けるようにしたことを特徴とする電話装置。
【請求項１７】
請求項１６に記載の電話装置において、前記呼び出し音発生手段は、前記携帯端末の充電量が少ない時に着信があった場合、該携帯端末を鳴動させないことを特徴とする電話装置。
【請求項１８】
請求項１乃至１７のいずれかに記載の電話装置において、前記第一回線接続手段を複数備えることを特徴とする電話装置。
【請求項１９】
請求項１乃至１８のいずれかに記載の電話装置において、前記他回線は、一般公衆網、ローカルエリアネットワーク、無線ローカルエリアネットワーク、ＤＳＬ技術による通信回線、光通信回線、インターネット回線あるいは無線回線のいずれかもしくは組み合わせであることを特徴とする電話装置。
【請求項２０】
コンピュータに、請求項１乃至１９のいずれかに記載の電話装置の機能を実現させるためのプログラム。
【請求項２１】
請求項２０に記載のプログラムを記録したコンピュータ読み取り可能な記録媒体。
【発明の詳細な説明】
【技術分野】
【０００１】
本発明は、電話装置、プログラムおよび記録媒体に関し、特に、主装置と１台以上の子機とを無線で接続する電話装置に関する。
【背景技術】
【０００２】
携帯電話はいつでも個人宛の連絡を直接受けることができる便利なものであるが、そのために、各個人は常に携帯電話を携帯するか自分の側に置いておく必要がある。
しかし、携帯電話を複数ある部屋で使う場合、何れかの部屋で充電中に着信があったり、発信するとき、敢えてその充電場所に出向く必要があった。
また、住宅の集合化が進み家の奥まったエリアでは携帯電話の電波が届かず、携帯電話が使えないなどの不便がある。
【０００３】
これに対して、特許文献１の技術では、複数台の子機を接続したコードレス親機と携帯電話とをインタフェースおよび１６芯コネクタによって接続しておく。子機から外線発呼信号をコードレス親機が受信すると、親機は携帯電話を制御して相手先を発呼させる。相手先が応答すれば、ベースバンド部および無線回路部を介して、応答信号を子機に送信し、コードレス親機と携帯電話とを介して呼び出された相手先と該当子機との通信を可能とする。また、携帯電話に着信があると、子機に着呼信号が送信され、子機が応答すると、携帯電話を制御して、相手先と回線接続させ、応答した子機と相手先との通話を可能とする。
このように、コードレス電話機に携帯電話を接続するのみで、１台の携帯電話を利用して子機から発着信ができる。
【０００４】
また、固定電話機から携帯電話へ電話した場合、携帯電話から携帯電話に掛けるのと比べて割高になることが一般的である。
【０００５】
これに対して、特許文献２の技術は、外部と音声信号や制御信号を送受信する為の端子を備え、充電器を経由して外部と信号を接続可能な移動端末と信号を接続可能なコードレス電話装置により、移動端末への着呼を、コードレス電話親機を介して子機に転送し、子機または親機で着呼を受け、また、コードレス電話の親機または子機からそれらに接続された移動端末を経由して第３者に発信できる構成になっている。
移動端末が受けた着呼を別の部屋のコードレス端末で受けることができ、また、移動端末から発呼したほうが安い通話料金で済む場合などに、手元のコードレス電話から移動端末経由で発呼することが可能となる。
【０００６】
また、携帯電話のサイズが携帯性、デザイン性、付加機能を重視するため小型化や高機能化が進む一方で、本来の電話を掛けるという基本的な機能が軽視される傾向が少なからずある。特に、受話部の耳と口の間隔が狭くなり通話状態に不安を感じたり、電話をするために慣れが必要になる場合があった。
【０００７】
特許文献３の技術では、発信時にはダイヤル信号を電話回線へ送出し、交換機から応答があった場合には回線対応部を通話状態にし、交換機から応答がない場合にはインタフェース部を介して携帯電話に対して出力して該携帯電話によって発信して通話を行うようにする。また、着信時には携帯電話からの着信音を検出して、呼び出し音を発生し、固定電話機を通話状態にする。
これにより、携帯電話が有する機能を固定電話機で使用できるようにするとともに、携帯電話の操作性を向上させることができる固定電話機を提供している。
【０００８】
また、現在、電話ができる通信端末としては、一般公衆回線に接続される電話機（所謂、固定電話機）と自由に持ち運べる携帯電話及びそれら関連機器がある。ここで、携帯電話が普及して通常外出時に一般的になり、携帯電話に入れられた電話帳は使い慣らされていく。そのため固定電話機を利用して電話番号を入力する場合には、普段使い慣れた電話帳を見るために、携帯電話の画面に相手先の電話番号を表示させ、それを見ながら電話番号を入力することになり、不便であった。
【０００９】
これに対して、特許文献３の技術では、固定電話機と携帯電話とを接続したときに、携帯電話機に蓄えられている電話番号情報を固定電話機のメモリへコピーし、電話回線を使用して通話する場合に利用できるようにしている。
【００１０】
また、入力された電話番号から回線の種類を判別して、接続先を切り替えるものには、特許文献４の技術がある。この特許文献４の技術では、電話機と携帯電話とを接続しておき、電話機によりダイヤルされた電話番号が携帯電話に対するものであると判定されると、携帯電話がサービス圏外の状態にあるか否かが判定され、正常でないと判定されると、公衆電話回線を介して通話相手の携帯電話と通話が可能となる一方、正常と判定された場合は、携帯電話を介して、通話相手の携帯電話との通話を可能とする。
これにより、通話相手が携帯電話であるかを判定し、通話ができなかった場合に、通常の電話回線への切り替えが自動的に行われるようにして操作性、利便性の向上を図っている。
【特許文献１】特開平９−５５７８０号公報
【特許文献２】特開２０００−２９５６６０号公報
【特許文献３】特開２００３−１３４１９５号公報
【特許文献４】特開平１１−２８９５７２号公報
【発明の開示】
【発明が解決しようとする課題】
【００１１】
上述したように、携帯電話を使用するときには次のような問題点がある。
（１）携帯電話を複数ある部屋で使う場合、何れかの部屋で充電中のときに着信があったり、発信するときには、敢えてその充電場所に出向く必要があった。
（２）携帯電話の受話部の耳と口の間隔が狭くなり通話状態に不安を感じたり、高機能化のあまり電話をするために慣れが必要になる。
（３）家の奥まったエリアでは携帯電話が使えない場合がある。
【００１２】
また、固定電話機を使用するときには次のような問題点がある。
（１）使い慣れた携帯電話の電話帳等を利用することができない。
（２）固定電話機から携帯電話に電話すると、携帯電話から携帯電話に掛けた場合に比べて割高になる。
【００１３】
また、ナンバーディスプレイなどの発信者番号の表示が一般化しており、使用する電話機に電話番号や名前を登録していない場合、その着信に対して居留守扱いするケースも多々あり、相手に対しては通常使う通信手段で行うことが望まれている。
【００１４】
これらの問題点に対しては、上述の特許文献によって部分的には解決されているが、家庭や職場等にある固定電話やコードレス電話機がある環境で、携帯電話と固定電話機との両者の利点を共有できる電話装置はまだ存在していない。
【００１５】
本発明は、上述のような実情を考慮してなされたものであって、家庭や職場等に無線で接続された親機と子機からなる電話装置と携帯端末がある環境で、携帯端末と固定電話との両者の利点を共有できる電話装置、コンピュータに電話装置の機能を実現するプログラムおよびそのプログラムを記録したコンピュータ読み取り可能な記録媒体を提供することを目的とする。
【課題を解決するための手段】
【００１６】
上記の課題を解決するために、本発明では次のような構成とする。
主装置と１台以上の子機から構成される電話装置において、通信機能を有する携帯端末を電気的に接続する少なくとも第一回線接続手段と、他回線を接続する第二回線接続手段と、前記子機と前記主装置とを無線で接続する通信制御手段と、前記第一回線接続手段に対応する電話番号情報を記録する第一記録手段と、前記第二回線接続手段に対応する電話番号情報を記録する第二記録手段と、発信電話番号により前記第一回線接続手段と前記第二回線接続手段とを切り替える回線選択手段と、を備える。
【００１７】
ここで前記他回線とは、一般公衆網、ローカルエリアネットワーク、無線ローカルエリアネットワーク、ＤＳＬ技術による通信回線、光通信回線、インターネット回線あるいは無線回線のいずれかもしくは組み合わせであってもよい。
【００１８】
このような電話装置において、前記携帯端末が前記第一回線接続手段に接続されたことを検出すると、この携帯端末が持つ電話番号情報を前記第一記録手段に記録する。
さらに、前記携帯端末と対応付けられた子機にも携帯端末の電話番号情報を転送するようにした。
また、この電話番号情報を、自動的なダウンロードとは別に、ユーザの指示で、メモリカードやインタフェースや短距離無線通信によって前記第一記録手段へ転送するようにしてもよい。
【００１９】
一方、前記携帯端末が前記第一回線接続手段から切り離されたことを検出すると、前記第一記録メモリに記録された電話番号情報を利用不可能にする。さらに、携帯端末に対応する子機に記憶された電話番号情報も利用不可能にする。
【００２０】
この前記電話番号情報としては、電話帳の内容、着信履歴あるいは発信履歴とする。
これらの電話番号情報は、前記携帯端末を通して発信した場合、発信した携帯端末で更新される。または、該電話装置内の電話番号情報を更新してから携帯端末に転送して更新する。
【００２１】
前記回線選択手段は、次のいずれかによって接続する回線を選択する。
（１）前記第一記録手段から選択した電話番号を用いて発信する場合は、前記第一回線接続手段を選択する。
（２）前記第二記録手段から選択した電話番号を用いて発信する場合は、前記第二回線接続手段を選択する。
（３）電話番号を入力して発信する場合、前記第一記録手段あるいは前記第二記録手段内に同じ電話番号があるか確認し、ある方の記録手段に対応した回線を選択する。
（４）電話番号を入力して発信する場合で、前記第一記録手段あるいは前記第二記録手段内のいずれにも登録されていないときには、入力された電話番号の特徴を判断して、回線を選択する。例えば、入力された電話番号が携帯電話の場合は前記第一回線接続手段を選択し、有線系電話番号の場合には前記第二回線接続手段を選択する。
【００２２】
また、指定された電話番号に予め回線選択情報が関連付けられていた場合には、この回線選択情報により回線を選択する。または、発信電話番号が入力されるたびに、ユーザに選択入力させるようにしてもよい。
【００２３】
上記電話装置において、前記携帯端末からの着信に対して前記子機から応答する場合、当該電話装置内に予め記録されている暗証番号と予め子機に登録または前記子機から入力された暗証番号によって、該携帯端末に対応する子機であることを認証する。
【００２４】
上記電話装置において、前記携帯端末を充電する充電手段を電話装置内に備えるようにしてもよい。
または、前記携帯端末を充電する充電手段に備えた回線接続手段と前記第一回線接続手段とを接続可能としてもよい。
【００２５】
このような電話装置において、前記第一回線接続手段あるいは前記第二回線接続手段からの着信であるかを判定し、判定された着信先に応じて着信音を鳴り分けるようにして、ユーザがどの装置に着信したかが容易に区別することができる。
この場合、前記携帯端末の充電量が少ない時に着信があったときは、該携帯端末を鳴動させないようにして、充電量を減らさないようにすることができる。
【００２６】
さらに、上記の電話装置において、前記第一回線接続手段を複数備えるようにして、携帯端末が複数のときでも利用できるようにした。
【００２７】
また、本発明は、上述した構成の電話装置の機能を実行させるためのプログラムまたはそのプログラムを記録したコンピュータ読み取り可能な記録媒体によっても上記課題を解決することができる。
【発明の効果】
【００２８】
本発明によれば、家庭や職場等に無線で接続された親機と子機からなる電話装置と携帯端末がある環境で、携帯端末と固定電話との両者の利点を共有できる電話装置を提供することができる。
この電話装置によれば、次のような効果もある。
【００２９】
（１）子機で携帯端末の着信を受けることができる。携帯端末への着信を子機でとる場合、暗証番号で確認することで、他の人が不用意に着信を受けることがなくなる。
また、専用の子機ならば予め暗証番号を子機内に記憶し、自動的に受けることにより、暗証番号の入力の手間が省ける。
（２）携帯端末への着信と電話装置への着信とを区別して着信音を鳴り分けさせるとともに、携帯端末に対応する子機が鳴るようにすることで、誰当ての着信かが音などで判断できる。
（３）携帯端末のところへ行かなくても電話装置の子機または主装置から、携帯端末を使ったと同じように発信することができる。
（４）電話帳等を携帯端末に対応して電話装置の主装置や子機に置くことにより、電話装置でも携帯端末と同じ通信相手先に容易に発信することができる。また着信時ナンバーディスプレイ機能と連動することにより相手先名などが容易に視認することができる。
（５）携帯端末を電話装置より着脱することにより主装置及び子機の転送された携帯端末の電話番号情報を使えない状態にすることによりプライバシーの保護ができる。
使えない状態については、消去、パスワード管理、読み出し禁止、表示しない等の処理でもよい。
（６）電話装置の大きいダイヤルボタンと送受器で発信／着信できるため、ボタンが押しやすく、音声も聞きやすく、表示も見やすくなり、高齢者や子供でも使いやすくなる。
【発明を実施するための最良の形態】
【００３０】
以下、図面を参照して本発明の好適な実施形態について説明する。
以下の実施形態では、電話装置は、公衆電話交換回線網を利用する電話装置の主装置（以下、親機という）に複数の子機が無線で接続されたものであり、親機あるいは子機によって通信相手と通話するようになっているものとして説明する。しかし、本発明の電話装置が利用する通信回線は、公衆電話交換回線に限ったものでなく、ローカルエリアネットワーク、無線ローカルエリアネットワーク、ＤＳＬ技術による通信回線、光通信回線、インターネット回線、あるいは、無線回線のいずれであっても同様に適用することができる。
【００３１】
また、携帯端末は、電話番号情報を有して無線通信方式によって通信する携帯電話、ＰＨＳ電話やＰＤＡ等であり、且つ、充電可能なものとする。以下、電話番号情報とは、電話帳だけでなく、受信履歴や送信履歴も含んだ概念として使用する。これらの履歴があれば、履歴の中から選択して通話を指示することができる。
【００３２】
まず、図１を参照して、携帯端末に着信したとき、あるいは、発信するときの本発明の概略動作について説明する。
携帯端末Ｂは基地局を介して第３者の携帯端末と通信が行われるようになっている。また、電話装置は公衆電話交換回線網を介して他の電話装置と通信できるとともに、公衆電話交換回線網は第３者の携帯端末の基地局を介して接続され、携帯端末との通信が可能になっている。また、電話装置は、親機と１つ以上の子機Ａ1〜Ａnとで構成されている。
【００３３】
さらに、親機には携帯端末Ｂを充電するための充電器Ｊが１台以上接続されている。この充電器Ｊのいずれかに携帯端末Ｂが置かれたときに、親機と音声信号や制御信号の授受を行うことができる構成になっている。
また、この充電器Ｊと子機Ａとは対応が付けられるようになっているので、充電器Ｊに置かれた携帯端末Ｂに着呼があった場合、自動的に親機や対応した子機Ａで通話できる状態になる。子機Ａから発呼する場合には、子機Ａに対応した充電器Ｊに置かれた携帯端末Ｂを介して第３者の携帯端末と通話できるようになっている。
【００３４】
上記構成のうち、いずれかの充電器Ｊに携帯端末Ｂが置かれると、置かれたことを親機が検出し、携帯端末Ｂに記憶されている電話番号情報を読み取って、親機のメモリへ充電器Ｊの識別子と対比して記憶させる。
ユーザが携帯端末Ｂの代わりに子機Ａを自室等へ持っていく場合には、携帯端末Ｂを置いた充電器Ｊと子機Ａとを対応付けて親機へ登録する。この登録の際、ユーザの携帯端末Ｂの電話番号情報を子機Ａへ転送して記憶する。しかし、充電器Ｊと子機Ａとが対応付けられている場合には、充電器Ｊに携帯端末Ｂを置いたときに携帯端末Ｂの電話番号情報を転送して子機Ａへ記憶する。
【００３５】
これにより、携帯端末Ｂに着信した電話をユーザの持って行った子機Ａで取ることができる。また、逆に、ユーザの持って行った子機Ａから自分の携帯端末Ｂを介して第３者の携帯端末や電話装置に電話をかけることができる。この際、子機Ａに自分の電話番号情報が記憶されるので、それを基に第３者の電話番号を簡単に調べることができる。
【００３６】
携帯端末Ｂが充電を完了したとき、充電器Ｊから取り外すと、充電器Ｊから携帯端末Ｂが取り外されたことを検出し、取り外した携帯端末Ｂに該当する電話番号情報を親機および子機で利用不可能な状態に、例えば削除する。これにより、個人情報を他の人に見られることがなくなる。
次に、本発明の電話装置に係る実施形態について詳細に説明する。
【００３７】
＜実施形態１＞
【００３８】
図２は、本実施形態１に係る電話装置の主装置（以下、親機という）の構成を示すブロック図である。図３は、本実施形態１で使用する既存の携帯端末の構成を示すブロック図である。図４は、本実施形態１に係る電話装置の子機（以下、子機という）の構成を示すブロック図である。図５は、親機、子機および携帯端末を接続したときの外観を示す斜視図である。
【００３９】
図２において、親機１００の外観は図５に示される形状をしており、その構成は、主制御部１０１、電源供給部１０２、充電制御部１０３、電源接続部１０４、インタフェース部１０５、表示部１０６、操作部１０７、メモリ１０８、呼び出し音発生部１０９、子機通信制御部１１０、子機通信用アンテナ１１１、通信接続制御部１１２、公衆電話交換回線網１１３、音声送受部１１４、ハンドセット１１５とからなる。親機１００は、公衆電話交換回線網１１３と接続して通常の電話として機能する。
【００４０】
主制御部１０１は、親機１００の全体の制御を行う。
電源供給部１０２は、外部から供給される電源を親機１００内の各部位へ供給する。
電源接続部１０４は、携帯端末２００の電源接続部２０４と接続させる端子であり、接続することによって親機１００から携帯端末２００へ充電電流を供給する。
充電制御部１０３は、主制御部１０１からの充電電流の供給開始信号あるいは供給停止信号に応じて、電源供給部１０２からの電源を携帯端末２００へ充電電流として供給する。
【００４１】
インタフェース部１０５は、携帯端末２００のインタフェース部２０５と接続する端子であり、接続することによって、音声信号やデータ信号や制御信号等を親機１００と携帯端末２００間でやり取りする。このインタフェース部１０５と電源接続部１０４とで、携帯端末２００の充電器を構成する。
また、インタフェース部によって携帯端末が接続されていないときには、通常の公衆電話交換回線網で通話および発信を行える。
【００４２】
表示部１０６は、ディスプレイから構成され、発信時においては、発信先の氏名や電話番号を表示し、また着信時においては、発信者が番号通知者であれば、発信者の電話番号や送信者の氏名等を表示する。さらには、携帯端末２００への着信時には、携帯端末２００に備えられている表示部２０６に表示される内容と同じ内容を表示する。
操作部１０７は、ダイヤルボタンが押されたときに、ボタンに対応した数字のダイヤル信号を主制御部１０１に送り、その他の機能ボタンが押されたときには、対応する機能が実行される。
【００４３】
メモリ１０８は、親機１００を制御するプログラムや、親機１００自身の持つ電話番号情報および携帯端末２００から読み出された電話番号情報を記憶する。
呼び出し音発生部１０９は、主制御部１０１からの呼び出し音開始／停止信号に基づいて、呼び出し音を発生する。この呼び出し音は、公衆電話交換回線網１１３からの着信と携帯端末２００からの着信では呼び出し音を変えて鳴らされる。例えば、音程を変えたりメロディを変えたりするようにする。
【００４４】
子機通信制御部１１０は、子機通信用アンテナ１１１を介して子機３００との通信を制御し、公衆電話交換回線網１１３からの着信あるいは携帯端末２００への着信を子機３００へ転送し、複数の子機３００からの接続を制御する。
【００４５】
通信接続制御部１１２は、公衆電話交換回線網１１３とのインタフェース機能で、公衆電話交換回線網１１３から着信があった場合、呼び出し信号を主制御部１０１へ通知し、ハンドセット１１５や子機３００で応答すると通話状態にする。また、発信する場合、主制御部１０１からのダイヤル信号をＰＢ信号またはＤＰ信号に変換し、公衆電話交換回線網１１３へ送出し、交換機からの応答があった場合、通話状態にする。
【００４６】
音声送受部１１４は、マイクとスピーカとからなるハンドセット１１５を持ち上げるとＯＮ信号が主制御部１０１へ通知され、ハンドセット１１５を戻すとＯＦＦ信号が主制御部１０１へ通知される。また、音声送受部１１４とハンドセット１１５間はコードで接続してもよいし、無線でもよい。また、ハンドセットの代わりにマイクとスピーカとを接続するようにしてもよい。
【００４７】
図３において、携帯端末２００は、主制御部２０１、電源制御部２０３、電源接続部２０４、インタフェース部２０５、表示部２０６、操作部２０７、メモリ２０８、通信制御部２１２、通信用アンテナ２１１、音声送受部２１４、マイク２１５、スピーカ２１６とからなる。
【００４８】
主制御部２０１は、携帯端末２００の全体の制御を行う。
電源接続部２０４は、親機１００の電源接続部１０４と接続させる端子であり、接続することによって親機１００からの充電電流が電源制御部２０３へ供給されて、携帯端末２００の各部へ供給される。
【００４９】
インタフェース部２０５は、親機１００のインタフェース部１０５と接続する端子であり、接続することによって、音声信号や電話番号情報等のデータ信号や制御信号等を親機１００と携帯端末２００間でやり取りする。また、電話装置にファクシミリ機能を持つ場合、携帯端末でファクシミリを受信し、電話装置へ転送して出力するようにしてもよい。この場合には、ファクシミリの画像データもまたインタフェース部を介して親機１００へ送信することになる。
【００５０】
表示部２０６は、ディスプレイから構成され、発信時においては、発信先の氏名や電話番号を表示し、また着信時においては、発信者が番号通知者であれば、発信者の電話番号や送信者の氏名等を表示する。さらには、携帯端末２００と親機１００を電源接続部によって接続した場合、表示部２０６に表示される内容はインタフェース部２０５を介して親機１００へ伝達して表示部１０６へ表示する。
操作部２０７は、ダイヤルボタンが押されたときに、ボタンに対応した数字のダイヤル信号を主制御部２０１に送り、その他の機能ボタンが押されたときには、対応する機能が実行される。携帯端末２００と親機１００を電源接続部によって接続した場合には、操作部２０７を使った操作はできない。
【００５１】
メモリ２０８は、携帯端末２００を制御するプログラムや、電話番号情報を記憶する。親機１００と携帯端末２００が電源接続部で接続されたときに、この電話番号情報は、親機１００からの要求によって親機１００に転送される。
【００５２】
音声送受部２１４は、通信用アンテナ２１１と通信制御部２１２を介して基地局から受信した音声信号をスピーカ２１６へ出力するとともに、マイク２１５で入力した音声を通信制御部２１２と通信用アンテナ２１１を介して基地局へ送信する。携帯端末２００と親機１００を電源接続部によって接続した場合には、音声送受部２１４は動作しない。
【００５３】
図４において、子機３００は、主制御部３０１、電源制御部３０３、電源接続部３０４、表示部３０６、操作部３０７、メモリ３０８、呼び出し音発生部３０９、通信制御部３１２、通信用アンテナ３１１、音声送受部３１４、マイク３１５、スピーカ３１６とからなる。図５に示すように、子機３００は、子機用充電器４００を経由して電力を供給されている。
【００５４】
主制御部３０１は、子機３００の全体の制御を行う。
電源接続部３０４は、子機３００の充電器４００と接続させる端子であり、接続することによって子機用充電器４００から子機３００へ充電電流を電源制御部３０３へ供給され、子機３００の各部へ電源が供給される。
【００５５】
表示部３０６は、ディスプレイから構成され、発信時においては、発信先の氏名や電話番号を表示し、また着信時においては、発信者が番号通知者であれば、発信者の電話番号や送信者の氏名等を表示する。
操作部３０７は、ダイヤルボタンが押されたときに、ボタンに対応した数字のダイヤル信号を主制御部３０１に送り、通信制御部３１２、通信用アンテナ３１１を介して親機１００へ転送される。その他の機能ボタンが押されたときには、対応する機能が実行される。
【００５６】
メモリ３０８は、子機３００を制御するプログラムや子機３００に登録された電話番号情報を記録する。また、親機１００と携帯端末２００が電源接続部で接続されたときには、親機１００から送られる親機１００と携帯端末２００の電話番号情報を記憶する。
呼び出し音発生部３０９は、主制御部１０１から送られてくる呼び出し音開始／停止信号に基づいて、呼び出し音を発生する。この呼び出し音は、公衆電話交換回線網１１３からの着信と携帯端末２００からの着信では呼び出し音を変えて鳴らされる。例えば、音程を変えたりメロディを変えたりするようにしてもよい。
【００５７】
音声送受部３１４は、通信用アンテナ３１１と通信制御部３１２を介して親機１００から受信した音声信号をスピーカ３１６へ出力するとともに、マイク３１５で入力した音声を通信制御部３１２と通信用アンテナ３１１を介して親機１００へ送信する。
【００５８】
上記の親機１００、子機３００および携帯端末２００を制御する各プログラムは、ネットワーク経由でダウンロードしたり、メモリ媒体や相互に接続された他の装置やインタフェースを介してインストールすることができる。これにより、携帯端末に専用のプログラムをインストールして電話装置との接続条件を満たすことができる。
【００５９】
次に、携帯端末２００を親機１００に備えられた充電器に置いたときの動作について説明する。
図５に示すように、携帯端末２００を親機１００の充電器に置く。即ち、携帯端末２００のインタフェース部２０５と電源接続部２０４とを、親機１００のインタフェース部１０５と電源接続部１０４とをそれぞれ対応させて接続させる。
携帯端末２００を親機１００に置くことによって、親機１００の電源供給部１０２からの充電電流が携帯端末２００へ供給され、携帯端末２００に備えられているバッテリが充電される。
【００６０】
主制御部１０１は、携帯端末２００が親機１００の充電器に置かれたことを検出し、携帯端末２００に電話番号情報を送信するように要求する。携帯端末２００のメモリ２０８に記憶されている電話番号情報が送られてくると、主制御部１０１はメモリ１０８へ記憶する。
【００６１】
これらの読み取った情報は、親機１００の電話番号情報を記憶する領域とは別に取られた領域（子機対応領域）に記憶される。例えば、携帯端末用の電話番号情報を図６に示すようなデータ項目（電話帳、受信履歴、送信履歴、子機ＩＤ、暗証番号）を子機対応領域に記憶する。
図６において、携帯端末用の電話帳、受信履歴および送信履歴は、携帯端末２００から取り寄せられた電話帳、受信履歴および送信履歴である。これらの電話帳、受信履歴および送信履歴は、電話の利用に伴って更新され、携帯端末に関しては、随時携帯端末２００のメモリ２０８へ更新状態が反映される。
子機ＩＤと暗証番号は、携帯端末と子機との対応を取るためのものであり、携帯端末が置かれた当初ではクリアされた状態である。
また、親機１００のメモリ１０８内に子機３００に対応する暗証番号が記録されている場合、あるいは、子機のメモリ３０８内に暗証番号が記録されている場合、新たな暗証番号の代わりに利用すれば、暗証番号を入力する手間が省ける。また、暗証番号による認証を省くようにしてもよい。
または、ユーザが上記のいずれを利用するかを予め選択できるようにしてもよい。この場合には、携帯端末用の子機対応領域に「親機に記憶された暗証番号の利用、子機に記憶された暗証番号の利用、ユーザ入力の暗証番号の利用、あるいは暗証番号を利用しない」の区別を記憶する。
【００６２】
ユーザは、携帯端末の代わりに子機を持っていく場合、携帯端末のユーザが携帯端末を親機に置いたあと、次のいずれかの動作を行う。
（１）ユーザが暗証番号を入力するとき：
子機のダイヤルボタンで暗証番号を入力して、子機に備えられた登録ボタンを押す。
子機３００の主制御部３０１は、入力された暗証番号と子機の識別子（ＩＤ）とを通信制御部３１２、通信用アンテナ３１１を介して親機１００へ送信する。
親機１００では、これらを受信し、メモリ１０８の子機対応領域の子機ＩＤと暗証番号に記録するとともに、携帯端末の電話番号情報を子機３００へ送る。子機３００では、送られてきた電話番号情報をメモリ３０８へ記録する。
【００６３】
（２）親機に記録されている暗証番号を使用するとき：
充電器から子機を取り上げると、子機３００の主制御部３０１は、子機の識別子（ＩＤ）を通信制御部３１２、通信用アンテナ３１１を介して親機１００へ送信する。
親機１００では、受信した子機の識別子と親機に記憶したその暗証番号とをメモリ１０８の子機対応領域の子機ＩＤと暗証番号に記録するとともに、携帯端末の電話番号情報を子機３００へ送る。子機３００では、送られてきた電話番号情報をメモリ３０８へ記録する。
【００６４】
（３）子機に記録されている暗証番号を使用するとき：
充電器から子機を取り上げると、子機３００の主制御部３０１は、子機の識別子（ＩＤ）と子機に記憶された暗証番号とを通信制御部３１２、通信用アンテナ３１１を介して親機１００へ送信する。
親機１００では、受信した子機の識別子と暗証番号とをメモリ１０８の子機対応領域の子機ＩＤと暗証番号に記録するとともに、携帯端末の電話番号情報を子機３００へ送る。
さらに、暗証番号を利用しないときには、携帯端末の電話番号情報を子機３００へ送るのみとする。子機３００では、送られてきた電話番号情報をメモリ３０８へ記録する。
【００６５】
（４）暗証番号を利用しないとき
充電器から子機を取り上げると、子機３００の主制御部３０１は、携帯端末の電話番号情報を子機３００へ送る。子機３００では、送られてきた電話番号情報をメモリ３０８へ記録する。
【００６６】
次に、携帯端末を充電器に装着したときの携帯端末の電話番号情報の転送状況を図１５のフローチャートを基に説明する。
携帯端末２００が親機１００のインタフェース部１０５に装着されたことを、主制御部１０１が検知すると（ステップＳ４１のＹＥＳ）、主制御部１０１は、携帯端末２００に電話番号情報を送信するように要求し、送られてきた電話番号情報をメモリ１０８の子機対応領域へ記憶する（ステップＳ４２）。ここで、子機対応領域中の子機の識別子は、子機と携帯端末とが対応されていないときにはクリアの状態である。
【００６７】
次に、主制御部１０１は、メモリ１０８の子機対応領域に子機の識別子が記録されているかを調べ、記録されていれば（ステップＳ４３のＹＥＳ）、その子機の識別子に対応する子機へ携帯端末２００の電話番号情報を送る（ステップＳ４４）。これにより、親機や子機を使って、携帯端末に記憶されていた電話番号情報を利用することができる。
【００６８】
一方、主制御部１０１は、メモリ１０８の子機対応領域に記憶された子機の識別子がクリア状態であれば（ステップＳ４３のＮＯ）、子機を登録するかをユーザに問い合わせる。
ユーザから登録しないと指示されると、処理を終了する。
また、ユーザが子機３００を取り上げて、登録すると指示されると（ステップＳ４５のＹＥＳ）、取り上げた子機３００の識別子を子機対応領域へ記録し（ステップＳ４６）、子機対応領域に記憶された携帯端末２００の電話番号情報を子機３００へ送る（ステップＳ４４）。
【００６９】
次に、公衆電話交換回線網１１３あるいは携帯端末２００を介して着信があった場合の処理を図７のフローチャートを基に説明する。
公衆電話交換回線網１１３あるいは携帯端末２００での着呼が検出される（ステップＳ１）。主制御部１０１は、通信接続制御部１１２からの着呼であったか、あるいは、携帯端末２００が着呼したのかを判断する（ステップＳ２）。携帯端末２００が着呼した場合、主制御部２０１は、インタフェース部２０５およびインタフェース部１０５を介して主制御部１０１に着信を知らせる。
【００７０】
主制御部１０１では、着信先に応じて呼び出し音を発生させるように、親機１００、携帯端末２００および子機３００へ指示する（ステップＳ３）。これにより、親機１００、携帯端末２００および子機３００でそれぞれ呼び出し音が鳴る。
ここでは、携帯端末２００が充電中で充電量が少ない時に着信があった場合は、携帯端末２００に呼び出し音の発生指示を送らない。また、着信のあった携帯端末２００に対応する子機だけに呼び出し音の発生指示を与えるようにする。
さらに、親機や子機での呼び出し音は、公衆電話交換回線網１１３あるいは携帯端末２００のそれぞれからの着信を区別して音程やメロディで鳴り分けるようにする。
このように、接続される外部回線が複数ある場合には、着信先が容易に区別することができる。
【００７１】
着信先が電話機であれば（ステップＳ４の「電話機」）、ユーザが親機１００のハンドセット１１５や子機３００で応答したときに呼び出し音を止めて通常の通話を行って（ステップＳ５）、親機１００の受信履歴を更新して処理を終了する（ステップＳ６）。
一方、着信先が電話機でない場合（ステップＳ４の「携帯」）、ユーザがどの装置（ハンドセット、子機あるいは携帯端末）で応答したかを判定する（ステップＳ７）。
【００７２】
着信を携帯端末２００によって応答した場合（ステップＳ７の「携帯」）、呼び出し音をすべて止めさせて、携帯端末２００を使って通話する（ステップＳ８）。主制御部１０１では、携帯端末２００が親機１００から切り離されたことを検出し、子機対応領域に記憶されている携帯端末２００に関する電話番号情報を使用不可能（例えば、削除、パスワード管理、読み出し禁止、非表示等）にし、さらに、携帯端末２００に対応する子機３００へ電話番号情報を使用不可能となるように指示し（ステップＳ９）、処理を終了する。
子機では、この指示でメモリ３０８に記憶された携帯端末２００に関する電話番号情報を使用不可能にする。このように親機１００や子機３００に記憶された個人情報が使用不可能にされるので、他人や家族等から見られることがなくなり、携帯端末の所有者のプライバシーが守られる。
【００７３】
着信を親機１００のハンドセット１１５によって応答した場合（ステップＳ７の「ハンドセット」）、主制御部１０１では呼び出し音をすべて止めさせて、応答したハンドセット１１５によって通話し（ステップＳ１２）、子機対応領域の携帯端末の受信履歴を更新するとともに、携帯端末２００のメモリ２０８に記憶されている受信履歴を更新して（ステップＳ１３）、処理を終了する。
ここで、ハンドセット１１５によって応答した場合にも、暗証番号を入力するようにしてもよい。この場合、暗証番号が確認できなかった場合には、携帯端末のユーザが応答したものではないとして処理を終了する。あるいは、オンフック状態として、ステップＳ３へ戻って、再度呼び出し音を鳴らすようにしてもよい。
【００７４】
また、着信を子機３００によって応答した場合（ステップＳ７の「子機」）、主制御部１０１では呼び出し音をすべて止めさせて、応答した子機の子機ＩＤが子機対応領域に登録されているかを調べる（ステップＳ１４）。
登録されている場合（ステップＳ１４のＹＥＳ）、この子機に対して暗証番号の入力が必要かを子機対応領域で調べる（ステップＳ１５）。
暗証番号が必要ない場合には（ステップＳ１５のＮＯ）、子機３００によって通話し（ステップＳ１２）、子機対応領域の携帯端末の受信履歴を更新するとともに、携帯端末２００のメモリ２０８に記憶されている受信履歴を更新して（ステップＳ１３）、処理を終了する。
【００７５】
一方、暗証番号が必要な場合には（ステップＳ１５のＹＥＳ）、暗証番号の入力待ちとなる（ステップＳ１０）。ここで、子機３００で暗証番号をダイヤルボタンで入力し、通信ボタンを押すと、この暗証番号と子機ＩＤとを通信制御部３１２、通信用アンテナ３１１を介して親機１００へ送信する。
上記のステップＳ１０で暗証番号を入力するときに、親機や子機に記憶されている暗証番号を使用するときには、親機や子機から暗証番号を取り出し、その暗証番号を子機対応領域に記憶した暗証番号と比較するようにする。
【００７６】
主制御部１０１では、受信した子機ＩＤと暗証番号が子機対応領域に登録されているかを確認する（ステップＳ１１）。
【００７７】
暗証番号が確認された場合（ステップＳ１１のＹＥＳ）、子機３００によって通話し（ステップＳ１２）、子機対応領域の携帯端末の受信履歴を更新するとともに、携帯端末２００のメモリ２０８に記憶されている受信履歴を更新して（ステップＳ１３）、処理を終了する。
一方、暗証番号が確認できなかった場合には（ステップＳ１１のＮＯ）、または、応答した子機の子機ＩＤが子機対応領域に登録されていない場合（ステップＳ１４のＮＯ）、携帯端末のユーザが応答したものではないとして処理を終了する。あるいは、ステップＳ３へ戻って、再度呼び出し音を鳴らすようにしてもよい。
【００７８】
次に、子機あるいは親機を使って、公衆電話交換回線網１１３あるいは携帯端末２００を介して発信する場合の処理を図８のフローチャートを基に説明する。
ユーザの発信に利用した装置（オンフックされた装置）がハンドセット１１５なのか子機３００なのかを判断する（ステップＳ２０）。
【００７９】
子機３００で発信しようとした場合（ステップＳ２０の「子機」）、子機対応領域に子機３００の子機ＩＤが登録されているかを調べる（ステップＳ３０）。
子機対応領域に子機ＩＤが登録されていなかった場合（ステップＳ３０のＮＯ）、通常の通話を子機で行うものとし、通常の通話として相手先の電話番号により呼び出し（ステップＳ２２）、親機の送信履歴を更新し（ステップＳ２３）、処理を終了する。
【００８０】
一方、子機対応領域に子機ＩＤが登録されていれば（ステップＳ３０のＹＥＳ）、子機対応領域を参照して暗証番号の入力が必要かを調べて、暗証番号の入力が必要でないときには（ステップＳ３１のＮＯ）、ステップＳ２５へ進んで、相手先の電話番号の入力を行う。
一方、暗証番号の入力が必要な場合には（ステップＳ３１のＹＥＳ）、暗証番号の入力待ちとなり（ステップＳ３２）、入力されるとステップＳ２４へ進む。子機３００から暗証番号を入力する場合には、子機３００の操作部２０７でダイヤルボタンによって暗証番号を入力し、通話ボタンを押すと、子機ＩＤと入力した暗証番号が親機１００へ送信される。
【００８１】
上記のステップＳ３２で暗証番号を入力するときに、親機や子機に記憶されている暗証番号を使用するときには、親機や子機から暗証番号を取り出し、その暗証番号を子機対応領域に記憶した暗証番号と比較するようにする。
【００８２】
親機１００では、入力された暗証番号と子機ＩＤの対が子機対応領域に登録されているかを調べる（ステップＳ２４）。
ここで、子機対応領域に登録のない暗証番号が入力された場合（ステップＳ２４のＮＯ）、権利のないユーザが子機３００を利用したとして処理を終了する。
【００８３】
他方、子機対応領域に登録された暗証番号が入力された場合（ステップＳ２４のＹＥＳ）、ユーザに相手先の電話番号を入力させ（ステップＳ２５）、その入力された番号から相手先の回線を判断する（ステップＳ２６）。
電話番号から相手先の回線を判断するには、次のようにして行う。
（１）親機の電話帳や送受信履歴の中から選択した場合には、公衆電話交換回線を使用する。
（２）携帯端末の電話帳や送受信履歴の中から選択した場合には、携帯端末の回線を使用する。
（３）直接番号を入力した場合には、親機の電話帳および携帯端末の電話帳を参照して、親機の電話帳の中に登録されている場合には、公衆電話交換回線を使用する。あるいは、携帯端末の電話帳の中に登録されている場合には、携帯端末の回線を使用する。また、両方の電話帳に登録されている場合には、（４）の判断で回線を決める。
（４）（３）で回線が決まらない場合、相手先の電話番号の特徴から携帯端末の回線か公衆電話交換回線かを識別する。
例えば、電話番号の外線局番が「０９０」、「０８０」、「０７０」の場合には、携帯端末の回線とし、その他の番号の場合には、公衆電話交換回線と判断する。
【００８４】
あるいは、相手先の電話番号を入力するときに、どの回線（公衆電話交換回線あるいは携帯端末回線）で通話するのかも一緒に、ユーザに通話のたびに入力させてもよい。また、予め電話帳の各電話番号にどの回線を利用するかの区別を登録しておき、この区別によって相手先の回線を判断するようにしてもよい。
【００８５】
上記判断で相手先の回線が携帯端末の回線と判断された場合には（ステップＳ２７の「携帯」）、入力された相手先の電話番号を携帯端末２００の主制御部２０１へ送って、携帯端末２００から回線の呼び出しを行わせる（ステップＳ２８）。さらに、主制御部１０１は、子機対応領域の携帯端末２００の送信履歴を更新するとともに、携帯端末２００のメモリ２０８の送信履歴を更新し（ステップＳ２９）、処理を終了する。
【００８６】
上記判断で相手先の回線が携帯端末の回線と判断されなかった場合（ステップＳ２７の「その他」）、通常の通話として相手先の電話番号により呼び出し（ステップＳ２２）、親機の送信履歴を更新し（ステップＳ２３）、処理を終了する。
【００８７】
また、ハンドセット１１５で発信しようとした場合（ステップＳ２０の「ハンドセット」）、ステップＳ２５へ進んで、相手先の電話番号を入力する。
【００８８】
次に、携帯端末２００を親機１００から外したときの動作を図１６のフローチャートを基に説明する。
ユーザが自分の携帯端末２００を充電接続部１０４から外すと、親機１００の主制御部１０１では、携帯端末２００が切り離されたことを検出し（ステップＳ５１のＹＥＳ）、子機対応領域に記憶されている携帯端末２００に関する電話番号情報を使用不可能にする（ステップＳ５２）。
ここで、使用不能とは、次のいずれかである。
・削除する。
・パスワードを設定して、当人以外が読み出せない状態とする。
・読み出し禁止状態に設定する。
・非表示状態として、誰にも見えないようにする。
【００８９】
次に、主制御部１０１は、メモリ１０８の子機対応領域の子機の識別子がクリアされていないかを調べ、クリアされていれば（ステップＳ５３のＮＯ）、携帯端末２００を取り外し済みとして処理を終了する。
一方、主制御部１０１は、メモリ１０８の子機対応領域の子機の識別子がクリアされていなければ（ステップＳ５３のＹＥＳ）、子機の識別子に対応する子機３００へ携帯端末２００の電話番号情報を使用不可能となるように指示し、子機３００の主制御部３０１では、主制御部１０１からの指示でメモリ３０８に記憶された携帯端末２００に関する電話番号情報を使用不可能にし（ステップＳ５４）、携帯端末２００を取り外し済みとして処理を終了する。
このように、親機１００や子機３００に記憶された個人情報が使用不可能にされるので、他人や家族等から見られることがなくなり、携帯端末の所有者のプライバシーが守られる。
【００９０】
＜実施形態２＞
【００９１】
実施形態１では、親機として、図５に示したように、ダイヤルボタンを備える操作部と表示部を備えたものであったが、本実施形態２の親機１００は図９に示したような操作部、表示部およびハンドセットも持たず、携帯端末に対する充電器だけを持つものである。この場合、親機で表示される情報はすべて子機の方に表示される。
【００９２】
図１０は、本実施形態２に係る親機の構成を示すブロック図である。図１０において、親機１００の外観は図９に示される形状をしており、その構成は、主制御部１０１、電源供給部１０２、充電制御部１０３、電源接続部１０４、インタフェース部１０５、メモリ１０８、呼び出し音発生部１０９、子機通信制御部１１０、子機通信用アンテナ１１１、通信接続制御部１１２、公衆電話交換回線網１１３とからなる。
また、携帯端末と子機の構成は図３および図４と同じである。図１０において、図２と同一機能を有するものは同一符号を付け、繰り返しの説明を省略する。
【００９３】
本実施形態２は、実施形態１とは、操作部、表示部および音声送受信部（ハンドセット）が備えられていないので、携帯端末から着信があった場合に、携帯端末に表示される種々の情報の表示はない。また、親機のハンドセットを使って着信や通話は行われない。
他の機能については、実施形態１と同様に機能する。
【００９４】
＜実施形態３＞
【００９５】
実施形態１では、携帯端末の充電器を親機に備えるようにした。しかし、親機に携帯端末を置くスペースの不足や通信キャリアまたは携帯端末の形状により接続条件が異なる場合がある。
本実施形態３では、図１１に示すように、携帯端末２００の充電器２５０と親機１００とをケーブル２６０で接続することによって、通信キャリアまたは携帯端末の形状により異なる通信内容や接続端子などの接続条件を容易に満たすことができる。
【００９６】
図１２は、本実施形態３に係る親機の構成を示すブロック図である。図１２において、親機１００および携帯端末２００の外観は図１１に示される形状をしており、その親機１００の構成は、主制御部１０１、電源供給部１０２、インタフェース部１０５、表示部１０６、操作部１０７、メモリ１０８、呼び出し音発生部１０９、子機通信制御部１１０、子機通信用アンテナ１１１、通信接続制御部１１２、公衆電話交換回線網１１３、音声送受部１１４、ハンドセット１１５とからなる。親機１００は、公衆電話交換回線網１１３と接続して通常の電話として機能する。
携帯端末用充電器２５０は、インタフェース部２５５、電源接続部２５４とからなっている。また、携帯端末と子機の構成は、図３および図４と同じである。
図１２において、図２と同一機能を有するものは同一符号を付け、繰り返しの説明を省略する。
【００９７】
電源供給部１０２は、外部から供給される電源を親機１００内の各部位へ供給するだけであり、携帯端末２００への充電は、携帯端末用充電器２５０の電源接続部２５４と携帯端末２００の電源接続部２０４と接続させることによって携帯端末用充電器２５０から携帯端末２００へ充電電流を供給する。
インタフェース部２５５は、携帯端末２００のインタフェース部２０５を接続する端子であり、インタフェース部２０５とインタフェース部１０５とをケーブル２６０で接続することによって、音声信号や電話番号情報等のデータ信号や制御信号等を親機１００と携帯端末２００間でやり取りする。
【００９８】
また、インタフェース部２５５に携帯端末２００が置かれていないときには、親機および子機は通常の公衆電話交換回線網で通話および発信を行える。
また、携帯端末用充電器２５０のインタフェース部２５５と親機１００のインタフェース部１０５を接続したケーブル２６０を挿抜することによって、携帯端末２００を携帯端末用充電器２５０に置くあるいは取り除くと同じ効果をもたせることができる。
即ち、携帯端末２００を携帯端末用充電器２５０に置いたまま、ケーブル２６０によって携帯端末用充電器２５０と親機１００とを接続することと、携帯端末２００を載せない携帯端末用充電器２５０と親機１００とをケーブル２６０で接続し、この携帯端末用充電器２５０に携帯端末２００を置くことは同じ機能を示している。
【００９９】
＜実施形態４＞
【０１００】
上述の実施形態では、親機に接続する携帯端末を１台として説明してきた。本実施形態４では、複数の携帯端末を親機に接続できるようにした。
親機に複数台の携帯端末を接続するための第１の方法は、親機に複数台の携帯端末用充電器を設け、実施形態１のように携帯端末を親機に直接置いて接続する方法である。
この方法は、携帯端末を親機に直接置くためのスペースが必要であり、多数の携帯端末をおくことができず、通信キャリアまたは携帯端末の形状により接続条件が異なる場合には利用できない場合がある。
【０１０１】
第２の方法は、親機に複数のインタフェース部を設け、実施形態３のように携帯端末用充電器と親機のインタフェース部をケーブルで接続する方法である。
その他、複数の携帯端末用充電器をハブによってまとめ、このハブを親機に接続する方法、あるいは、複数の携帯端末用充電器をデージーチェイン型に接続し、これを親機と接続する方法等もある。
【０１０２】
本実施形態４では、上記の第２の方法を使って説明するが、他の方法であっても同様に適用することができる。
また、本実施形態４の親機は、実施形態２のような表示部、操作部、ハンドセットを備えていないものとするが、これらを備えたものであっても構わない。
【０１０３】
図１３は、本実施形態４に係る親機の構成を示すブロック図である。図１３において、親機１００の構成は、主制御部１０１、電源供給部１０２、インタフェース部（１０５Ａ〜１０５Ｎ）、メモリ１０８、呼び出し音発生部１０９、子機通信制御部１１０、子機通信用アンテナ１１１、通信接続制御部１１２、公衆電話交換回線網１１３とからなる。各インタフェース部（１０５Ａ〜１０５Ｎ）に携帯端末用充電器（２５０Ａ〜２５０Ｎ）が対応している。
上記の各部の機能、携帯端末や子機については、上述の実施形態と同じであるから、以下では相違点についてだけ説明する。
【０１０４】
携帯端末２００を携帯端末用充電器のいずれかに置いたときの動作について説明する。
携帯端末２００を携帯用充電器２５０Ｂに置く。即ち、携帯端末２００のインタフェース部２０５と電源接続部２０４とを、携帯用充電器２５０Ｂのインタフェース部２５５と電源接続部２５４とをそれぞれ対応させて接続させる。
携帯端末２００を携帯用充電器２５０Ｂに置くことによって、充電電流が携帯端末２００へ供給され、携帯端末２００に備えられているバッテリが充電される。
【０１０５】
主制御部１０１は、携帯端末２００がいずれの携帯端末用充電器に置かれたかを検出する。ここでは、携帯端末用充電器２５０Ｂに置かれたと仮定する。
主制御部１０１は、携帯端末用充電器２５０Ｂを介して携帯端末２００に電話番号情報を送信するように要求する。携帯端末２００のメモリ２０８に記憶されている電話番号情報が送られてくると、主制御部１０１はメモリ１０８へ充電器識別子（ＩＤ）と対応付けて記憶する。
【０１０６】
これらの読み取った情報は、例えば、図１４に示すようなデータ項目（充電器ＩＤ、電話帳、受信履歴、送信履歴、子機ＩＤ、暗証番号、暗証番号の存在場所）を持つ充電器・子機対応テーブルとして記憶される。
充電器ＩＤは、電話番号情報（電話帳や送受信履歴）がどの充電器に置かれた携帯端末から取得したかを示す充電器の識別子である。
電話帳、受信履歴や送信履歴は、充電器に置かれた携帯端末から読み取られたものである。これらの電話帳、受信履歴および送信履歴は、電話の利用に伴って更新され、随時携帯端末２００のメモリ２０８へ更新状態が反映される。
子機ＩＤと暗証番号は、充電器に置かれた携帯端末と子機との対応を取るためのものであり、携帯端末が置かれた当初ではクリアされた状態である。
暗証番号の存在場所は、親機１００のメモリ１０８内に子機３００に対応する暗証番号を使用する場合は「親機」、子機３００のメモリ３０８内に記録されている場合は「子機」、子機から入力する場合は「入力」、暗証番号を使用しない場合は「不使用」が設定される。
【０１０７】
次に、携帯端末の代わりに子機を持っていく場合、携帯端末のユーザが携帯端末を充電器に置いたあと、子機の操作部３０７のダイヤルボタンで充電器ＩＤと暗証番号の存在場所の区別を入力して、子機に備えられた登録ボタンを押す。この入力で暗証番号の存在場所を「入力」とした場合には、新規の暗証番号を併せて入力してから登録ボタンを押すようにする。
【０１０８】
子機３００の主制御部３０１は、子機の識別子（ＩＤ）と、入力された充電器ＩＤ、暗証番号の存在場所、暗証番号とを通信制御部３１２、通信用アンテナ３１１を介して親機１００へ送信する。
親機１００では、これらを受信し、充電器・子機対応テーブルに充電器ＩＤに対応付けて記録するとともに、充電器ＩＤに対応する電話番号情報を子機３００へ送る。
子機３００では、送られてきた電話番号情報をメモリ３０８へ記録する。
【０１０９】
また、親機１００の主制御部１０１は、受信した暗証番号の存在場所が「親機」や「子機」であった場合には、それぞれの存在場所から暗証番号を取り出して、充電器・子機対応テーブルに充電器ＩＤに対応付けて記録する。
【０１１０】
次に、携帯端末を充電器に装着したときの携帯端末の電話番号情報の転送状況を図１５のフローチャートを基に説明する。
携帯端末２００が携帯端末用充電器２５０に装着されたことを、主制御部１０１が検知すると（ステップＳ４１のＹＥＳ）、主制御部１０１は、携帯端末２００に電話番号情報を送信するように要求し、送られてきた電話番号情報をメモリ１０８の充電器・子機対応テーブルへ記憶する（ステップＳ４２）。ここで、テーブルの子機の識別子は、子機と携帯端末とが対応されていないときにはクリアの状態である。
【０１１１】
次に、主制御部１０１は、メモリ１０８の充電器・子機対応テーブルに子機の識別子が記録されているかを調べ、記録されていれば（ステップＳ４３のＹＥＳ）、この子機の識別子に対応する子機へ携帯端末２００の電話番号情報を送る（ステップＳ４４）。これにより、親機や子機を使って、携帯端末に記憶されていた電話番号情報を利用することができる。
【０１１２】
一方、主制御部１０１は、メモリ１０８の充電器・子機対応テーブルに記憶された子機の識別子がクリア状態であれば（ステップＳ４３のＮＯ）、子機を登録するかをユーザに問い合わせる。
ユーザから登録しないと指示されると、処理を終了する。
また、ユーザが子機３００を取り上げて、登録すると指示されると（ステップＳ４５のＹＥＳ）、取り上げた子機３００の識別子を充電器・子機対応テーブルへ記録し（ステップＳ４６）、携帯端末２００の電話番号情報を子機３００へ送る（ステップＳ４４）。
【０１１３】
次に、公衆電話交換回線網１１３あるいは携帯端末２００を介して着信があった場合の処理を図７のフローチャートを基に説明する。
公衆電話交換回線網１１３あるいは携帯端末２００での着呼が検出される（ステップＳ１）。主制御部１０１は、通信接続制御部１１２からの着呼であったか、あるいは、携帯端末２００が着呼したのかを判断する（ステップＳ２）。
携帯端末２００が着呼した場合、主制御部２０１は、インタフェース部２０５、携帯端末用充電器２５０のインタフェース部２５５、インタフェース部１０５を介して主制御部１０１に着信を知らせる。
【０１１４】
主制御部１０１では、着信先に応じて呼び出し音を発生させるように、親機１００、携帯端末２００および子機３００へ指示する（ステップＳ３）。これにより、親機１００、携帯端末２００および子機３００でそれぞれ呼び出し音が鳴る。
ここでは、携帯端末２００が充電中で充電量が少ない時に着信があった場合は、携帯端末２００に呼び出し音の発生指示を送らない。また、着信のあった携帯端末２００の置いてある充電器に対応する子機ＩＤがある場合には、その子機だけに呼び出し音の発生指示を与えるようにする。
さらに、親機や子機での呼び出し音は、公衆電話交換回線網１１３あるいは携帯端末２００のそれぞれからの着信を区別して音程やメロディで鳴り分けるようにする。
このように、接続される外部回線が複数ある場合には、着信先が容易に区別できる。
【０１１５】
着信先が電話装置であれば（ステップＳ４の「電話機」）、ユーザが子機３００で応答したときに呼び出し音を止めて通常の通話となり（ステップＳ５）、親機１００の受信履歴を更新して処理を終了する（ステップＳ６）。
一方、着信先が電話装置でない場合（ステップＳ４の「携帯」）、ユーザがどの装置（子機あるいは携帯端末）で応答したかを判定する（ステップＳ７）。
【０１１６】
着信を携帯端末２００によって応答した場合（ステップＳ７の「携帯」）、呼び出し音をすべて止めて、携帯端末２００を使って通話する（ステップＳ８）。
主制御部１０１では、携帯端末２００が切り離された携帯端末用充電器２５０を検出し、この携帯端末用充電器２５０の充電器ＩＤに対応する携帯端末２００に関する電話番号情報を充電器・子機対応テーブルで使用不可能（例えば、消去、パスワード管理、読み出し禁止、あるいは、非表示等）にし、さらに、この携帯端末用充電器２５０に対応する子機３００へ電話番号情報を使用不可能となるように指示し（ステップＳ９）、処理を終了する。子機では、この指示でメモリ３０８の携帯端末に関する電話番号情報を使用不可能にする。
このように、親機１００や子機３００に記憶された個人情報が使用不可能にされるので、他人や家族等から見られることがなくなり、携帯端末の所有者のプライバシーが守られる。
【０１１７】
着信を子機３００によって応答した場合（ステップＳ７の「子機」）、主制御部１０１では呼び出し音をすべて止めさせて、応答した子機の子機ＩＤが充電器・子機対応テーブルに登録されているかを調べる（ステップＳ１４）。
登録されている場合（ステップＳ１４のＹＥＳ）、この子機に対して暗証番号の入力が必要かを充電器・子機対応テーブルで調べる（ステップＳ１５）。
【０１１８】
暗証番号が必要ない場合には（ステップＳ１５のＮＯ）、子機３００によって通話し（ステップＳ１２）、充電器・子機対応テーブルの携帯端末の受信履歴を更新するとともに、携帯端末２００のメモリ２０８に記憶されている受信履歴を更新して（ステップＳ１３）、処理を終了する。
【０１１９】
一方、暗証番号が必要な場合には（ステップＳ１５のＹＥＳ）、暗証番号の入力待ちとなる（ステップＳ１０）。ここで、子機３００で暗証番号をダイヤルボタンで入力し、通信ボタンを押すと、この暗証番号と子機ＩＤとを通信制御部３１２、通信用アンテナ３１１を介して親機１００へ送信する。
上記のステップＳ１０で暗証番号を入力するときに、親機や子機に記憶されている暗証番号を使用するときには、親機や子機から暗証番号を取り出し、その暗証番号を充電器・子機対応テーブルに記憶した暗証番号と比較するようにする。
【０１２０】
主制御部１０１では、充電器・子機対応テーブルを参照して、子機３００から送られてきた暗証番号と子機ＩＤが、着呼した携帯端末２００の置かれている携帯端末用充電器２５０に対応したものであるかを確認する（ステップＳ１１）。
【０１２１】
暗証番号が確認された場合（ステップＳ１１のＹＥＳ）、子機３００によって通話し（ステップＳ１２）、携帯端末用充電器２５０に対応する充電器・子機対応テーブルの受信履歴を更新するとともに、携帯端末２００のメモリ２０８に記憶されている受信履歴も更新して（ステップＳ１３）、処理を終了する。
一方、暗証番号が確認できなかった場合には（ステップＳ１１のＮＯ）、あるいは、応答した子機の子機ＩＤが充電器・子機対応テーブルに登録されていない場合（ステップＳ１４のＮＯ）、着信した携帯端末２００のユーザが応答したものではないとして処理を終了する。あるいは、ステップＳ３へ戻って、再度呼び出し音を鳴らすようにしてもよい。
【０１２２】
次に、子機を使って、公衆電話交換回線網１１３あるいは携帯端末２００を介して第３者の電話装置へ発信する場合の処理を図８のフローチャートを基に説明する。
【０１２３】
子機３００で発信しようとした場合（ステップＳ２０の「子機」）、充電器・子機対応テーブルに子機３００の子機ＩＤが登録されているかを調べる（ステップＳ３０）。
登録されていれば（ステップＳ３０のＹＥＳ）、充電器・子機対応テーブルを参照して暗証番号の入力が必要かを調べて、暗証番号の入力が必要な場合には（ステップＳ３１のＹＥＳ）、暗証番号の入力待ちとなる（ステップＳ３２）。子機３００から暗証番号を入力する場合には、子機３００の操作部２０７でダイヤルボタンによって暗証番号を入力し、通話ボタンを押すと、子機ＩＤと入力した暗証番号が親機１００へ送信される。
【０１２４】
また、ステップＳ３２で暗証番号を入力するときに、親機や子機に記憶されている暗証番号を使用するときには、親機や子機から暗証番号を取り出し、その暗証番号を充電器・子機対応テーブルに記憶した暗証番号を比較するようにする。
【０１２５】
入力された暗証番号と子機ＩＤの対が充電器・子機対応テーブルに登録されているかを調べる（ステップＳ２４）。ここで、充電器・子機対応テーブルに登録のない子機ＩＤと暗証番号の対が入力された場合（ステップＳ２４のＮＯ）、携帯端末用充電器に置かれた携帯端末のユーザでない人が子機３００を利用したとして発信処理をせずに終了する。
【０１２６】
一方、充電器・子機対応テーブルに登録された子機ＩＤと暗証番号の対が入力された場合（ステップＳ２４のＹＥＳ）、ユーザに相手先の電話番号を入力させ（ステップＳ２５）、その入力された電話番号から相手先の回線を判断する（ステップＳ２６）。
電話番号から相手先の回線の判断は、実施形態１で説明したように行う。
【０１２７】
相手先の回線が携帯端末の回線と判断された場合には（ステップＳ２７の「携帯」）、入力された相手先の電話番号を子機ＩＤに対応する充電器に置かれた携帯端末２００の主制御部２０１へ送って、携帯端末２００から呼び出しを行わせ、子機３００を使って通話を行う（ステップＳ２８）。さらに、主制御部１０１は、この子機３００に対応する充電器・子機対応テーブルの送信履歴を更新するとともに、携帯端末２００のメモリ２０８の送信履歴も更新し（ステップＳ２９）、処理を終了する。
【０１２８】
他方、相手先の回線が携帯端末の回線でないと判断された場合には（ステップＳ２７の「その他」）、通常の通話として相手先の電話番号により呼び出し（ステップＳ２２）、親機用の送信履歴を更新し（ステップＳ２３）、処理を終了する。
【０１２９】
一方、暗証番号の入力が必要でないときには（ステップＳ３１のＮＯ）、ステップＳ２５へ進んで、相手先の電話番号の入力を行う。
【０１３０】
また、充電器・子機対応テーブルに子機ＩＤが登録されていなかった場合（ステップＳ３０のＮＯ）、通常の通話として相手先の電話番号により呼び出し（ステップＳ２２）、親機用の送信履歴を更新し（ステップＳ２３）、処理を終了する。
【０１３１】
上記のステップＳ３２で暗証番号を入力するときに、親機や子機に記憶されている暗証番号を使用するときには、親機や子機から暗証番号を取り出し、その暗証番号を充電器・子機対応テーブルに記憶した暗証番号と比較するようにする。
【０１３２】
次に、携帯端末２００を親機１００から外したときの動作を図１６のフローチャートを基に説明する。
ユーザが自分の携帯端末２００を携帯用充電器２５０から外すと、親機１００の主制御部１０１では、携帯端末２００が切り離された携帯端末用充電器２５０を検出し（ステップＳ５１のＹＥＳ）、この携帯端末用充電器２５０の充電器ＩＤに対応する携帯端末２００に関する電話番号情報を充電器・子機対応テーブルの子機対応領域において使用不可能にする（ステップＳ５２）。
ここで、使用不能とは、次のいずれかである。
・削除する。
・パスワードを設定して、当人以外が読み出せない状態とする。
・読み出し禁止状態に設定する。
・非表示状態として、誰にも見えないようにする。
【０１３３】
次に、主制御部１０１は、この携帯端末用充電器２５０の充電器ＩＤに対応する充電器・子機対応テーブルの子機の識別子がクリアされていないかを調べ、クリアされていれば（ステップＳ５３のＮＯ）、携帯端末２００を取り外し済みとして処理を終了する。
一方、主制御部１０１は、充電器ＩＤに対応する充電器・子機対応テーブルの子機の識別子がクリアされていなければ（ステップＳ５３のＹＥＳ）、その子機の識別子に対応する子機３００へ携帯端末２００の電話番号情報を使用不可能となるように指示し、子機３００の主制御部３０１では、主制御部１０１からの指示でメモリ３０８に記憶された携帯端末２００に関する電話番号情報を使用不可能にし（ステップＳ５４）、携帯端末２００を取り外し済みとして処理を終了する。子機３００の主制御部３０１では、主制御部１０１からの指示でメモリ３０８に記憶された携帯端末２００に関する電話番号情報を使用不可能にする。
このように、親機１００や子機３００に記憶された個人情報が使用不可能にされるので、他人や家族等から見られることがなくなり、携帯端末の所有者のプライバシーが守られる。
【０１３４】
上記実施形態では、携帯端末に記憶されている電話番号情報（電話帳や送受信履歴）を電話装置の親機や子機にコピーするのに、電話装置に接続した充電器に携帯端末が置かれたときに親機からの制御信号で行っていた。
しかし、このように自動的に行うのではなく、ユーザの指示に基づいてコピーするようにしてもよい。
例えば、上述の実施形態のように携帯端末と電話装置とを接続しておき、ユーザが電話装置の親機でダウンロード指示を行ったときに、携帯端末から電話機の方へダウンロードするようにしてもよい。
また、携帯端末の電話番号情報（電話帳や送受信履歴）をメモリカードに記憶させ、このメモリカードを親機に装着して読み取るようにしてもよい。
また、携帯端末と電話機とをインタフェースケーブルや短距離無線通信（例えば、赤外線通信やＢｌｕｅｔｏｏｔｈ（登録商標）等）によって接続して、携帯端末の電話番号情報を親機や子機にコピーするようにしてもよい。
このようにしてコピーされた電話番号情報は、携帯端末を充電器から取り外したときに使用不可能にされる。
【０１３５】
また、本発明は、上述した実施形態のみに限定されたものではない。上述した実施形態の携帯端末、電話装置の親機や子機の各機能をそれぞれプログラム化して、予めＲＯＭのような記録媒体に書き込んでおき、携帯端末、電話装置の親機や子機に記録媒体をそれぞれ装着して、これらのプログラムを実行することによって、本発明の目的が達成されることは言うまでもない。この場合、記録媒体から読み出されたプログラム自体が上述した実施形態の機能を実現することになり、そのプログラムおよびそのプログラムを記録した記録媒体も本発明を構成することになる。
また、上記プログラムは、そのプログラムの指示に基づき、オペレーティングシステムあるいは他のアプリケーションプログラム等と共同して処理することによって上述した実施形態の機能が実現される場合も含まれる。
【０１３６】
なお、上述した実施形態の機能を実現するプログラムは、ディスク系（例えば、磁気ディスク、ミニディスク、光ディスク等）、カード系（例えば、メモリカード、光カード等）、半導体メモリ系（例えば、ＲＯＭ、不揮発性メモリ等）等のいずれの形態の記録媒体で提供されてもよい。あるいは、ネットワークを介して記憶装置に格納された上記プログラムをサーバコンピュータから直接供給を受けるようにしてもよい。この場合、このサーバコンピュータの記憶装置も本発明の記録媒体に含まれる。
このように、上述した実施形態の機能をプログラム化して流通させることによって、コストの低廉化、および可搬性や汎用性を向上させることができる。
【図面の簡単な説明】
【０１３７】
【図１】携帯端末に着信したとき、あるいは、発信するときの本発明の概略動作について説明するための図である。
【図２】実施形態１に係る親機の構成を示すブロック図である。
【図３】実施形態１で使用する携帯端末の構成を示すブロック図である。
【図４】実施形態１に係る子機の構成を示すブロック図である。
【図５】実施形態１に関する、親機、子機および携帯端末を接続したときの外観を示す斜視図である。
【図６】親機のメモリに記憶される親機用および携帯端末用の電話番号情報のデータ項目例である。
【図７】公衆電話交換回線網あるいは携帯端末を介して着信があった場合の処理を示すフローチャートである。
【図８】子機あるいは親機を使って、公衆電話交換回線網あるいは携帯端末を介して発信する場合の処理を示すフローチャートである。
【図９】実施形態２に関する、親機、子機および携帯端末を接続したときの外観を示す斜視図である。
【図１０】実施形態２に係る親機の構成を示すブロック図である。
【図１１】実施形態３に関する、親機、子機および携帯端末を接続したときの外観を示す斜視図である。
【図１２】実施形態３に係る親機の構成を示すブロック図である。
【図１３】実施形態４に係る親機の構成を示すブロック図である。
【図１４】親機のメモリに記憶される親機用および携帯端末用の電話番号情報のデータ項目例である。
【図１５】携帯端末を充電器に装着したときの携帯端末の電話番号情報の転送状況を説明するためのフローチャートである。
【図１６】携帯端末を充電器から取り外したときの携帯端末の電話番号情報の消去状況を説明するためのフローチャートである。
【符号の説明】
【０１３８】
１００…電話装置の主装置（親機）、１０１…主制御部、１０２…電源供給部、１０３…充電制御部、１０４…電源接続部、１０５，１０５Ａ〜１０５Ｎ…インタフェース部、１０６…表示部、１０７…操作部、１０８…メモリ、１０９…呼び出し音発生部、１１０…子機通信制御部、１１１…子機通信用アンテナ、１１２…通信接続制御部、１１３…公衆電話交換回線網、１１４…音声送受部、１１５…ハンドセット、２００…携帯端末、２０１…主制御部、２０３…電源制御部、２０４…電源接続部、２０５…インタフェース部、２０６…表示部、２０７…操作部、２０８…メモリ、２１１…通信用アンテナ、２１２…通信制御部、２１４…音声送受部、２１５…マイク、２１６…スピーカ、２５０，２５０Ａ〜２５０Ｎ…携帯端末用充電器、２５４…電源接続部、２５５…インタフェース部、２６０…ケーブル、３００…電話装置の子機、３０１…主制御部、３０３…電源制御部、３０４…電源接続部、３０６…表示部、３０７…操作部、３０８…メモリ、３０９…呼び出し音発生部、３１１…通信用アンテナ、３１２…通信制御部、３１４…音声送受部、３１５…マイク、３１６…スピーカ、４００…子機用充電器。
【図１】
2006339814.tif 000003
【図２】
2006339814.tif 000004
【図３】
2006339814.tif 000005
【図４】
2006339814.tif 000006
【図５】
2006339814.tif 000007
【図６】
2006339814.tif 000008
【図７】
2006339814.tif 000009
【図８】
2006339814.tif 000010
【図９】
2006339814.tif 000011
【図１０】
2006339814.tif 000012
【図１１】
2006339814.tif 000013
【図１２】
2006339814.tif 000014
【図１３】
2006339814.tif 000015
【図１４】
2006339814.tif 000016
【図１５】
2006339814.tif 000017
【図１６】
2006339814.tif 000018